【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
室内側の面に床材を装着して床の一部をなす床パネルと、前記床パネルの中にその室外側の面全体を覆うように装着された断熱材と、互いに対向する二つの面を備え、前記断熱材の室内側の面に一方の面を接し、他方の面を前記床材の室外側の面に対向させて床パネルに内装されたヒータ・潜熱蓄熱材ユニットと、を含んでなる暖房用パネルであって、
前記ヒータ・潜熱蓄熱材ユニットは、シート状の電気ヒータと、このシート状の電気ヒータの両面にそれぞれ接するように配置され、前記電気ヒータが発生する熱を蓄熱する潜熱蓄熱材が封入された一対の潜熱蓄熱材容器を含んでなり、
前記断熱材には、凹部が形成され、前記ヒータ・潜熱蓄熱材ユニットが前記凹部に嵌め込まれており、前記一対の潜熱蓄熱材容器の一方の容器の前記電気ヒータに接する面と反対側の面が前記断熱材に接するとともに、他方の容器の前記電気ヒータに接する面と反対側の面が前記床材の室外側の面に対向するように配置されて該他方の容器と該床材との間に空気層が設けられ、前記潜熱蓄熱材容器の該空気層側の面をアルミフィルムで覆った暖房用パネル。
【請求項２】
室内側の面に壁材を装着して壁の一部をなす壁パネルと、前記壁パネルの中にその室外側の面全体を覆うように装着された断熱材と、互いに対向する二つの面を備え、前記断熱材の室内側の面に一方の面を接し、他方の面を前記壁材の室外側の面に対向させて壁パネルに内装されたヒータ・潜熱蓄熱材ユニットと、を含んでなる暖房用パネルであって、
前記ヒータ・潜熱蓄熱材ユニットは、シート状の電気ヒータと、このシート状の電気ヒータの両面にそれぞれ接するように配置され、前記電気ヒータが発生する熱を蓄熱する潜熱蓄熱材が封入された一対の潜熱蓄熱材容器を含んでなり、
前記断熱材には、凹部が形成され、前記ヒータ・潜熱蓄熱材ユニットが前記凹部に嵌め込まれており、前記一対の潜熱蓄熱材容器の一方の容器の前記電気ヒータに接する面と反対側の面が前記断熱材に接するとともに、他方の容器の前記電気ヒータに接する面と反対側の面が前記壁材の室外側の面に対向するように配置されて該他方の容器と該壁材との間に空気層が設けられ、前記潜熱蓄熱材容器の該空気層側の面をアルミフィルムで覆った暖房用パネル。
【請求項３】
室内側の面に床材を装着して床の一部をなす床パネルと、前記床パネルの中にその室外側の面全体を覆うように装着された断熱材と、互いに対向する二つの面を備え、前記断熱材の室内側の面に一方の面を接し、他方の面を前記床材の室外側の面に対向させて床パネルに内装されたヒータ・潜熱蓄熱材ユニットと、を含んでなる暖房用パネルであって、
前記ヒータ・潜熱蓄熱材ユニットは、前記断熱材の室内側の面に一方の面を接し、該一方の面に対向する他方の面を前記床材の室外側の面に対向させて配置された、潜熱蓄熱材を封入した潜熱蓄熱材容器と、この潜熱蓄熱材容器に内装されて該容器内部を断熱材側と床材側に区画するシート状の電気ヒータとを含んでなり、前記潜熱蓄熱材は、前記電気ヒータが発生する熱を蓄熱するものであり、前記断熱材には、凹部が形成され、前記ヒータ・潜熱蓄熱材ユニットが前記凹部に嵌め込まれており、前記潜熱蓄熱材容器の前記断熱材に接する面と反対側の面が前記床材の室外側の面に対向するように配置されて該潜熱蓄熱材容器と該床材との間に空気層が設けられ、前記潜熱蓄熱材容器の該空気層側の面をアルミフィルムで覆った暖房用パネル。
【請求項４】
室内側の面に壁材を装着して壁の一部をなす壁パネルと、前記壁パネルの中にその室外側の面全体を覆うように装着された断熱材と、互いに対向する二つの面を備え、前記断熱材の室内側の面に一方の面を接し、他方の面を前記壁材の室外側の面に対向させて壁パネルに内装されたヒータ・潜熱蓄熱材ユニットと、を含んでなる暖房用パネルであって、
前記ヒータ・潜熱蓄熱材ユニットは、前記断熱材の室内側の面に一方の面を接し、該一方の面に対向する他方の面を前記壁材の室外側の面に対向させて配置された、潜熱蓄熱材を封入した潜熱蓄熱材容器と、この潜熱蓄熱材容器に内装されて該容器内部を断熱材側と壁材側に区画するシート状の電気ヒータとを含んでなり、前記潜熱蓄熱材は、前記電気ヒータが発生する熱を蓄熱するものであり、前記断熱材には、凹部が形成され、前記ヒータ・潜熱蓄熱材ユニットが前記凹部に嵌め込まれており、前記潜熱蓄熱材容器の前記断熱材に接する面と反対側の面が前記壁材の室外側の面に対向するように配置されて該潜熱蓄熱材容器と該壁材との間に空気層が設けられ、前記潜熱蓄熱材容器の該空気層側の面をアルミフィルムで覆った暖房用パネル。
【請求項５】
請求項１〜４の内のいずれか１項に記載の暖房用パネルにおいて、前記電気ヒータに接続されて電力を供給する電力源が太陽電池であることを特徴とする暖房用パネル。
【請求項６】
電気ヒータを内装した暖房用パネルと、この暖房用パネルの前記電気ヒータに接続されて電力を供給する電力源、商用電源への接続手段、電力源と商用電源への接続手段の双方のうちのいずれかと、を含んで形成された暖房装置であって、前記暖房用パネルが請求項１〜６のうちのいずれか１項に記載の暖房用パネルである暖房用パネルを用いた暖房装置。
【手続補正２】
【補正対象書類名】明細書
【補正対象項目名】０００６
【補正方法】変更
【補正の内容】
【０００６】
【課題を解決するための手段】
本発明は、上記の課題を達成するために、室内側の面に床材または壁材を装着して床または壁の一部をなす床パネルまたは壁パネルと、床パネルまたは壁パネルの中にその室外側の面全体を覆うように装着された断熱材と、互いに対向する二つの面を備え、断熱材の室内側の面に一方の面を接し、他方の面を床材または壁材の室外側の面に対向させて床パネルまたは壁パネルに内装されたヒータ・潜熱蓄熱材ユニットと、を含んでなる暖房用パネルであって、ヒータ・潜熱蓄熱材ユニットは、シート状の電気ヒータと、このシート状の電気ヒータの両面にそれぞれ接するように配置され、電気ヒータが発生する熱を蓄熱する潜熱蓄熱材が封入された一対の潜熱蓄熱材容器を含んでなり、断熱材には、凹部が形成され、ヒータ・潜熱蓄熱材ユニットが凹部に嵌め込まれており、一対の潜熱蓄熱材容器の一方の容器の電気ヒータに接する面と反対側の面が断熱材に接するとともに、他方の容器の電気ヒータに接する面と反対側の面が床材または壁材の室外側の面に対向するように配置されてこの他方の容器とこの床材または壁材との間に空気層が設けられ、潜熱蓄熱材容器のこの空気層側の面をアルミフィルムで覆った構成としたものである。
【手続補正３】
【補正対象書類名】明細書
【補正対象項目名】０００７
【補正方法】変更
【補正の内容】
【０００７】
このように構成されたヒータ・潜熱蓄熱材ユニットの潜熱蓄熱材を封入した容器の一方を、暖房用パネルの一方の側（室外側）に配置された断熱材の室内側の面に接して配置し、潜熱蓄熱材を封入した容器の他方を、暖房用パネルの他方の側（室内側）に配置された壁材あるいは床材の室外側の面に対向させて配置することで、電気ヒータの壁材あるいは床材の側（すなわち、電気ヒータの室内側）に配置された潜熱蓄熱材から壁面あるいは床面に向かって放熱して暖房するとともに、電気ヒータの断熱材の側（すなわち、電気ヒータの室外側）に配置された潜熱蓄熱材により、電気ヒータの室内側に配置された潜熱蓄熱材の熱が室外側に放熱されるのが抑制される。さらに、電気ヒータの室内側の潜熱蓄熱材容器の室内側の面をアルミフィルムで覆うことにより、放射による熱損失を抑える効果がある。この結果、電気ヒータの室内側に配置された潜熱蓄熱材の放熱ロスが低減される。
【手続補正４】
【補正対象書類名】明細書
【補正対象項目名】０００９
【補正方法】変更
【補正の内容】
【０００９】
また、前記潜熱蓄熱材を封入した容器と電気ヒータは、両者間の熱移動を前記容器の平面的な位置の各所で均等にし且つ促進するため、両面接着のアルミフィルムテープで接着するのが望ましい。